(57)【特許請求の範囲】
【請求項１】
調理器本体の開口部に取り付けられ、ピン穴を有する一対の継手台と、
上記調理器本体の開口部に開閉自在に設けられ、上記開口面に沿ってあらかじめ定められた挿入方向から挿入することにより、上記ピン穴と嵌合する扉ピンを有する扉と、
上記扉の上記挿入方向と逆方向の側面側に配設され、上記調理器本体に取付けられたコントロールパネルと、
上記コントロールパネルの上記扉側の側面に設けられ、上記扉ピンの中心軸に対応する上記扉の側面に当接する突起とを備え、
上記ピン穴と上記扉ピンを嵌合させた後に、上記突起を有するコントロールパネルを取り付けることで、上記突起により上記扉が上記挿入方向の逆方向へ移動しないようにしたことを特徴とする高周波加熱調理器。
【発明の詳細な説明】
【０００１】
【発明の属する技術分野】
この発明は高周波加熱装置に関し、特に扉の取付構造に関するものである。
【０００２】
【従来の技術】
従来の高周波加熱装置の扉の取付構造を図８、９によって説明する。図８は、一般的な縦開きタイプの高周波加熱装置の外観斜視図、図９はその扉の下部要部分解斜視図である。図８において１は本体、１０は加熱室、２は加熱室１０の開口部に上下方向に開閉自在に取り付けられた扉、１２は扉２を支持する扉アーム、３１ａは扉２を支持する継手部、４はコントロールパネル、９は脚である。
【０００３】
図９において３１は本体ベース７に取り付けられた継ぎ手台であり、扉アーム１２を支持するローラ１３及び継手部３１ａからなる。
１２は扉２を支持する扉アーム、２０は前面パネル１１に設けられ、扉アーム１２を挿入する扉アーム穴、２１は継手部３１ａを挿入する継手部穴、１８は扉アーム１２の取付部１２ｂとベース７の取付穴１９に両端を各々係止したバネ、３２は継ぎ手台３１をベース７に固定するネジである。
３３は扉２を支持し、回転中心となる扉ピン、３４は扉ピン３３が挿入される扉ピン穴、３５は扉アーム１２の扉係合部１２ａを嵌合させる扉アームピンである。
【０００４】
次に、扉２の加熱室１０開口部への取付は、まず、扉２を加熱室１０の前面に置き、継手部３１ａを前面パネル１１の後方より、継手部穴２１へ挿入する。  この時、継手台３１をあらかじめ継手部穴２１の片側に寄せ、扉ピン３３が貫通できるようにする。
次に、扉ピン３３が扉２に設けられている扉ピン穴３４へ嵌合されるように継手部３１ａを合わせ、継ぎ手台３１をネジ３２でベース７に取り付ける。
次に、扉アーム１２を前面パネル１１の後方より、扉アーム穴２０へ挿入し、扉２の扉係合部１２ａを扉アームピン３５へ引っ掛け、扉バネ１８を扉アーム１２の取付部１２ｂとベース７の取付穴１９に取付ける。
【０００５】
【発明が解決しようとする課題】
しかしながら、上記のような構成では、扉２を加熱室１０の開口部へ取り付ける際、継ぎ手台３１の継手部３１ａを前面パネル１１後方より挿入し、次に継手部３１ａを横方向へスライドし扉ピン３３を扉２の扉ピン穴３４嵌合し、次に扉アーム１２を前面パネル後方より挿入し、扉アーム１２と扉２の扉アームピン３５を嵌合させ、次に前記扉アーム１２と継手部３１ａ間にバネ１９を取り付ける構成であるため、上記に示すように、各部品を単体状態で順次本体に組み込んでゆき、又、扉２を本体１に取り付けるためには、継ぎ手台３１を前後左右へと移動し、ネジ３２でベース７に取り付けるため、組み立て工程が複雑であり、また、扉２と加熱室１０の開口部との組立精度のバラツキがあるという問題があった。
【０００６】
この発明は、かかる従来の問題点を解消するためになれたもので、組立がし易く、扉と加熱室１０の開口部との組立精度がよい高周波加熱調理器を得ることを目的とする。
【０００７】
【課題を解決するための手段】
調理器本体の開口部に取り付けられ、ピン穴を有する一対の継手台と、上記調理器本体の開口部に開閉自在に設けられ、上記開口面に沿ってあらかじめ定められた挿入方向から挿入することにより、上記ピン穴と嵌合する扉ピンを有する扉と、上記扉の上記挿入方向と逆方向の側面側に配設され、上記調理器本体に取付けられたコントロールパネルと、
上記コントロールパネルの上記扉側の側面に設けられ、上記扉ピンの中心軸に対応する上記扉の側面に当接する突起とを備え、上記ピン穴と上記扉ピンを嵌合させた後に、上記突起を有するコントロールパネルを取り付けることで、上記突起により上記扉が上記挿入方向の逆方向へ移動しないようにしたものである。
【０００８】
【発明の実施の形態】
図１はこの発明の実施の形態である高周波加熱調理器を示す外観正面図、図２は高周波加熱調理器の要部平面図、図３は高周波加熱調理器の要部斜視図、図４は扉と本体の取付を示す要部斜視図、図５は扉とベースの取付を示す要部斜視図である。
【０００９】
図１〜図４において１は本体、２は本体１の前面に取り付けられた扉であり、扉ヒンジ３が加熱室１０の開口部に対して左右に取り付けられユニット化されている。４はコントロールパネルであり、一体成形され、突端部が球状の突起５が設けられている。６はベースであり、継ぎ手台８が左右に取り付けられユニット化されている。１４は継ぎ手台８の継ぎ手部８ａに設けられた扉ピン穴である。扉ヒンジ３には、扉２を支持し回転中心となり、扉ピン穴１４に挿入される扉ピン１６、扉アーム１２の係合部１２ａが嵌合される扉アームピン１７が設けられている。９は脚、１０は加熱室、１１は前面パネルである。
【００１０】
図４、５において２ａは扉本体、１２は扉本体２ａを支持する係合部１２ａ及びバネ１８が取り付けられる係止部１２ｂを有する扉アームであり、左右に設けられている。１３は扉アーム１２を支持するローラ、１４は継ぎ手台８の継ぎ手部８ａに設けられた扉ピン穴である。３は扉ヒンジであり、扉本体２ａを支持し回転中心となり、扉ピン穴１４に挿入される扉ピン１６、扉アーム１２の係合部１２ａが嵌合される扉アームピン１７が設けられている。１９は扉アーム１２の係止部１２ｂに一端が取り付けられたバネ１８の他端が取り付けられる係止穴である。
【００１１】
２０は前面パネル１１に設けられ、扉２ａを支持する扉アーム１２を挿入する扉アーム穴、２１は継ぎ手台８の継ぎ手部８ａを挿入する継ぎ手部穴、２２は継ぎ手台８をベース７に固定するネジである。
なお、扉２は扉本体２ａ、扉ヒンジ３及び扉カバー（図示せず）からなり、本体１はベース６、加熱室１０、前面パネル１１及び本体カバー（図示せず）からなる。
【００１２】
次に、扉の取付について図２〜７により説明する。
図６は扉ヒンジ３の扉本体への取付を示す斜視図、図７は扉と継手台の継手部との嵌合状態を示す図である。
【００１３】
まず、扉２には図６に示すように、扉ヒンジ３が扉本体２ａの下部の左右の側部にスポット溶接などで取付けられ、次に、図７に示すように、扉本体２ａの前面の周辺を覆う扉カバー２ｂを取り付けたユニットとする。
次に、ベース６には、図５に示すように左右一対の継手台８を、扉本体２ａに取り付けられた左右の扉ピン１６に嵌合される位置に合わせて、ネジ２２で取り付ける。
【００１４】
次に、図４に示すように、ベース６に加熱室１０を取り付ける。なお、図４は扉２の扉カバー２ｂを外したものを示している。
次に、前面パネル１１の左側の継手部穴２１へ左側の継手部８ａを、右側の継手部穴２１へ右側の継手部８ａを挿入させて、前面パネル１１を加熱室１０の前面に取り付ける。この時、左右の扉ヒンジ３のそれぞれの扉ピン１６はコントロールパネル４と反対側に突設されるものである。
【００１５】
次に、図４、５に示すように、扉２（図では扉本体２ａで示す）を前面パネル１１の前に置き、扉本体２ａに取り付けられた左右の扉ヒンジ３の扉ピン１６が、ベース６に取り付けられた左右の継ぎ手台８の扉ピン穴１４に挿入されるように合わせ、扉２を挿入方向を左側として嵌合させる。
【００１６】
次に、左右の扉アーム１２を前面パネル１１の後方より、左右の扉アーム穴２０へ挿入し、扉２ａの扉アームピン１７にへ引っ掛け、左右のバネ１８を左右の扉アーム１２の取付部１２ｂとベース６の左右の取付穴１９に取付ける。
【００１７】
次に、図２、３に示すように、扉２の挿入方向とは逆の扉２の右側にコントロールパネル４を配設し、前面パネル１１に取り付ける。このとき、コントロールパネル４の扉２側の側面に設けられた突起５が、扉ピン１６の中心軸に対応する扉２の側面に当接するので、扉２を開閉しても扉２が扉ピン１６の挿入方向の逆方向である右側へ移動せず、扉ピン１６が扉ピン穴１４から外れなく、また、扉２の開閉がスムーズに行われる。
【００１８】
以上のように、各部品をユニット化し、扉２と加熱室１０及び前面パネル１１を取り付けたベース６との組立は、扉ピン１６を扉ピン穴１４に嵌合させ、コントロールパネル４を取り付ければ、コントロールパネル４に一体成形して設けられた突起５により、扉が横方向に移動せず、扉ピン１６が扉ピン穴１４から外れなく、扉２の開閉がスムーズにすることができる。従って、組立が容易であり、また、扉２の移動を止める部品を省くことができる。
また、扉ピン１６を扉２に設けたので継ぎ手台８に設けるより扉ピン１６の取付部ｂの剛性を高くすることができ、扉ピンの変形がなく扉２の開閉精度を高くすることができる。
さらに、前面パネル１１に形成した継手部穴２１を必要以上に大きく開口させることがないので、内部を見にくくすることができる。
【００１９】
【発明の効果】
以上のように、この発明に係る高周波加熱調理器は、調理器本体の開口部に取り付けられ、ピン穴を有する一対の継手台と、上記調理器本体の開口部に開閉自在に設けられ、上記開口面に沿ってあらかじめ定められた挿入方向から挿入することにより、上記ピン穴と嵌合する扉ピンを有する扉と、上記扉の上記挿入方向と逆方向の側面側に配設され、上記調理器本体に取付けられたコントロールパネルと、
上記コントロールパネルの上記扉側の側面に設けられ、上記扉ピンの中心軸に対応する上記扉の側面に当接する突起とを備え、上記ピン穴と上記扉ピンを嵌合させた後に、上記突起を有するコントロールパネルを取り付けることで、上記突起により上記扉が上記挿入方向の逆方向へ移動しないようにしたので、組立がし易く、扉と加熱室開口部との組立精度を高くすることができる。
【図面の簡単な説明】
【図１】この発明の実施の形態である高周波加熱調理器を示す外観正面図である。
【図２】  この発明の実施の形態である高周波加熱調理器を示す高周波加熱調理器の要部平面図である。
【図３】  この発明の実施の形態である高周波加熱調理器の要部斜視図である。
【図４】  この発明の実施の形態である高周波加熱調理器の扉と本体の取付を示す要部斜視図である。
【図５】  この発明の実施の形態である高周波加熱調理器の扉とベースの取付を示す要部斜視図である。
【図６】  この発明の実施の形態である高周波加熱調理器の扉ヒンジの扉本体への取付を示す斜視図である。
【図７】  この発明の実施の形態である高周波加熱調理器の扉と継手台の継手部との嵌合状態を示す図である。
【図８】  一般的な縦開きタイプの高周波加熱装置の外観斜視図である。
【図９】  図８の扉の下部要部分解斜視図である。
【符号の説明】
１  本体、２  扉、２ａ  扉本体、３  扉ヒンジ、４  コントロールパネル、５  突起、６  ベース、８  継ぎ手台、１０  加熱室、１１  前面パネル、１２扉アーム、１４  扉ピン穴、１６  扉ピン、１７  扉アームピン。
【図１】
0003648978.tif 000002
【図２】
0003648978.tif 000003
【図３】
0003648978.tif 000004
【図４】
0003648978.tif 000005
【図５】
0003648978.tif 000006
【図６】
0003648978.tif 000007
【図７】
0003648978.tif 000008
【図８】
0003648978.tif 000009
【図９】
0003648978.tif 000010